(57)【要約】      （修正有）【課題】基地系集団の最小構成単位である基地系の構成及び多数個の基地系が基地系集団として円滑な運行を可能とする。【解決手段】基地板は多数個の帯状の薄金属板が多数個の製板機を上下２列に配列し、それらの側縁を付着し、さらに表裏に互いに直角方向に縦枠と横枠とを付着する。基地系はこの基地板に推進体・連携体・研摩体等の付属体を付して構成される。隣接する基地系は推進体と連携体とによって小間隙を保持して多数個が平面状に配列されて小ブロックが構成され、多数個の小ブロックが配列されて中ブロックが、多数個の中ブロックが配列されて大ブロックが構成され、基地系集団は多数個の大ブロックが配列されて構成される。基地系・各ブロック・基地系集団は電子計算機により制御され、これらは基地ネットワークを構成し、大型電子計算機を含む地球ネットワークと連携される。反射基地系集団は基地系集団が飛行中に研摩体によって研摩される。【選択図】図３
2006199261.tif 000002
【特許請求の範囲】
【請求項１】
宇宙空間の惑星・衛星に付髄して運行する基地系集団・反射基地系集団であって、  多数個の帯状の薄金属板を製板直後にそれらの側縁を溶接して形成され、かつその表・裏両面に縦枠・横枠の補強枠を溶接して基地板を構成し、該基地板に推進体を整備することで基地系・反射基地系を構成し、それらの多数個を小間隙を備えて小基地系ブロック・小反射基地系ブロックを構成し、それらの多数個を中間隙を備えて中基地系ブロック・中反射基地系ブロックを構成し、それらの多数個を大間隙を備えて大基地系ブロック・大反射基地系ブロックを構成し、それらの多数個を大大間隙を備えて基地系集団・反射基地系集団を構成し、惑星・衛星に太陽光陰影部・太陽光反射部を構成する遮光装置・反射装置と、  該太陽光陰影部・太陽光反射部の投影・照射による温度降下・温度上昇がもたらす惑星・衛星の気象の変化や事象の変化を観測する観測装置と、  該観測装置からの観測のデータ・情報を入力し処理し制御指令を出力する電子計算機群によって惑星・衛星ネットワークを構成し、該惑星・衛星ネットワークからの制御指令を受信し該基地系（ブロック）、該反射基地系（ブロック）やその構成要素である各々の体を制御する電子計算機群によって基地ネットワーク・反射基地ネットワークを構成し、地球管制体の大型電子計算機とネットワークが構成された制御装置と、を具備した防護開発装置。
【請求項２】
前記遮光装置・反射装置は、基片の両端から折曲された垂直片の各自由端から水平片を突設2006199261.tif 000006
溶接され、該垂直片・該水平片で充分な強度を確保すると共に、該水平片で付属体（バフ研摩体・推進体等）の装備・抜止を兼ねるよう構成された補強枠を具備した請求項１に記載の防護開発装置。
【請求項３】
前記遮光装置・反射装置は、前記補強枠の基片・垂直片で囲まれる内空部に収容され、電気モータに連結され該補強枠の端部近傍に装備された回転機の回転により突出・引込しうるように構成された連携体と、該連携材の先端に付設された抜止片が隣接する基地系・反射基地系の握持機による握持・分離によって連携・非連携が自在に成されるよう構成された握持材と、該回転機・該握持機を駆動する電気モータを制御する小型電子計算機である連携計算機と、を具備した請求項１に記載の防護開発装置。
【請求項４】
前記遮光装置・反射装置は、前記連携体を内空部に収容し１ユニットとして取付または分離が自在になるよう形成された補強枠を具備した請求項１に記載の防護開発装置。
【請求項５】
前記遮光装置・反射装置は、略正方形または長方形に形成された基地板と、該基地板の中央近傍または適所に万一の場合故障時の安全飛行用に装備された複数個の推進体と、万一の場合故障時にも遊離を防止する連携体と、を具備した請求項１に記載の防護開発装置。
【請求項６】
前記推進体は、その取付が基地板の複数本の補強枠への短時間取付や短時間分離を可能にする（半）自動の取付台と、強固な取付でありながら（半）自動取付に近い取付補助機構と、万一の場合故障時の取替用の（半）自動取替ロケットと、を具備した請求項１に記載の防護開発装置。
【請求項７】
前記遮光装置・反射装置は、推進体の近傍等、繰返しの推進力等が負荷される場所に応じて綿密に計算され付設密度が加減された配置に取付られた複数個の補強枠を具備した請求項１に記載の防護開発装置。
【請求項８】
地球近傍の無重力の宇宙空間に配備される製作系（材供装置・加工装置・伸展装置・組立装置・制御装置・等を含む）の一部である加工装置であって、  多数個の帯状金属板である遮光板がそれらの側緑を一定の重合幅を重ねて溶接2006199261.tif 000007
上製板機・下製板機で成る製板機と、  該下製板機に対向して上側の遮光板に補強の必要度に応じて配備され補強枠（縦枠）として溶接されるべく上製板機の最適の間隔をおいて該遮光板に対照的に配備された縦方向の製枠機である縦枠機と、  該上側製板機・該下側製板機の各列に略直角の方向であって該各列の端部近傍に配備され該遮光板の下側に最適の間隔で溶接されるべく製板進行中の遮光板の下面に自動溶接されるべく配備された横方向の製枠機である横枠機と、を具備した加工装置を有する防護開発装置の製造装置。
【請求項９】
複数の上側製板機及び製板製枠機が略直方体状のロケット本体の一つの端面に沿って配置され地球上で製造され地球上で配置された状態のまま宇宙空間に交互に配備されるよう構成された大製板製枠筒・小製板製枠筒と、  該大製板製枠筒・小製板製筒と略同型同大で製枠機を含まないでそれらに対向して宇宙空間に配備されるよう構成された大製板筒・小製板筒と、を具備した加工装置を有する防護開発装置の製造装置。
【請求項１０】
該大製板製枠筒・小製板製枠筒及び該大製板筒・小製板筒の各々の筒厚の残りである間隙には宇宙空間で隣接して摩擦少く円滑な配備を促進する配備手段を具備した加工装置を有する防護開発装置の製造装置。
【請求項１１】
加工台板・伸展台板・組立台板を補強する製作台板及び製作補強台板と、  それらの台板の間に介在され固定されべく構成されたロケット筒体と、を具備した防護開発装置の製造装置。
【発明の詳細な説明】
【技術分野】  本発明は防護開発装置とその製造装置に関し、より詳しくは近未来以降に於る地球環境の防護を目標に（反射）基地系集団の開発を図りつつ、その間に於て製造装置で製作された上記集団は未来是非とも開発の必要が迫られた場合の惑星や衛星の開発を図らんとする基盤の提供を図るものである。［背景技術］  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける��陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された��林や土壌や地球独得の資源等が今や人間一生涯の短い期間に消費されている。また、これらのこことが将来、政治的・社会的安定を脅かす原因となってくる可能性が大きい。２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い。でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。  本発明は防護開発装置とその製造装置に関し、より詳しくは近未来以降に於る地球環境の防護を目標に（反射）基地系集団の開発を図りつつ、その間に於て製造装置で製作された上記集団は未来是非とも開発の必要が迫られた場合の惑星や衛星の開発を図らんとする基盤の提供を図るものである。［発明の実施の形態］  以下、本発明の実施の形態を実施例・図面を参考にして具体的に説明する。（１）基地板は、地球近傍の宇宙空間に配備された製作系の一部である加工装置の多数個の製板機によって製板される多数個の帯状の薄金属板（遮光板）の側縁を製板直後に溶接することと、縦枠機・横枠機によって製枠された縦枠・横枠が遮光板の縦・横の適所に溶接されて構成され、可能であると推定される。この製造装置及び材料供給装置は別出願で示された通りであるから省略する。基地系は、この基地板に推進体・連携体を付し、好しくは研摩体も付される。これらは現在の時点では可能性の推定であるに止まることは止むを得ないが、もし自然法側に反しないと仮定すれば、未来のある時点では可能になると推定される。製板機・製枠機や推進体・連携体・研摩体の取付機は電子計算機で、好しくは全自動で実行されるようネットワークが構成され、地球管制体の制御も可能である。連続的に製作される基地系は製作系の組立装置から推進体の推進力や組立装置の押上機等で自動的に巣立飛行する。そして、隣接すべき基地系は連携���により自動的に連携され平面状に配備される。平面状の配備は自動制御である。基地系と基地系との間隙は推進体や連携体の連携作用で調整可能に構成される。基地系は略正方形状または長方形状に構成され、推進体は１個または複数個が2006199261.tif 000003
地系と約２０ｍ前後の小間隙で自動飛行し、この小間隙は制御可能である。2006199261.tif 000004
の間隔で遮光板、を境界にして上側と下側とに対照的に配備された例を示す。この場合は幅２．３ｍ〜１．３ｍの帯状の遮光板が必要な重合幅を保持して溶接する。製板ロール、の最終の伸展ロールは遮光板の近傍に配備される。補強枠（縦枠）は１２ｍ〜６ｍの間隔で付設された例を図示したが、推進体の近傍等の応力の負荷が大きい部分は間隔を小さくして付設される。無重力の宇宙空間では遮光板や補強枠の自重は負荷されないが、推進体の推進力は負荷されるので綿密に強度計算された後に補強枠が決る。補強枠は、上記の縦枠は上記や図のように製板機の間に配備された縦枠機で製枠され製板と同じ速度で伸展されて遮光板の上側（宇宙空間では上も下もないが仮に上側とする）に連続的に溶接・スポット溶接される。補強枠のうち横枠は遮光板の下側に縦枠と略直角の方向に溶接またはスポット溶接される。横枠機は製板機群に対して略直角の方向に、例えば製板機群の端部の近傍に配備される。（図を参照のこと）横枠は製板機による製板が成され次第、縦枠と同様に応力が負荷される状況に応じて電子計算機で計算された配置及び間隔で製枠後に、製板の速度に合わせて移動する枠支持機で支承されつつ溶接またはスポット溶接される。横枠は縦枠が遮光板の上側であるのと対照的に下側に付設される。横枠は枠支持機に装備された溶接機で溶接またはスポット溶接される。2006199261.tif 000005
板が折曲機によって連続的に折曲加工されて基片の両端から垂直片が曲加工され、その垂直片の両端から水平片が折曲加工される。補強枠はその基片が遮光板に付設され、水平片は強度保持と共に付属体（推進体・連携体・研摩体）の取付の機能を有する。特に推進体は相当の推進力が負荷されるので複数本の補強枠に相当の長さにわたる水平片にまず推進体の取付台が付され、この取付台に推進体が遠隔操作で自動取付、または自動分離されるよう構成される。推進体の取付部は無重力の宇宙空間とはいえ充分な強度が必要であると推定されるので、縦枠・横枠の一方のみで力不足の場合は遮光板に取付孔が自動的に形成され、双方の補強枠に取付られるよう構成する。推進体が取付台に自動取付・自動分離される構造は、現在の宇宙ステーション等におけるドッキング、または分離の構造が改良され採用されてもよい。（強度、他が充分と仮定した場合）または取付台の補強枠への取付は自動的であることが望ましいので研究の余知がある。取付台は省略されて推進体が直接的にできれば全自動で補強枠に取付可能ならそれが良い。（２）  推進体は長年月間でも燃料補給等をしなくて済み、しかも遮光板を飛行させうるよう推力・比推力の大きい新ロケット（例えば核融合ロケットの応用型）が採用されるべきである。新ロケットは核融合ロケットの場合、現在は研究中でありまだ実用化には相当の年月がかかると推定される。いずれは実用化への道が開かれると期待されている分野であるが難しい課題も含むとされている。しかし、新ロケットは一旦、実用化されたのちは現在の自動車とまではいかなくても船拍のように応用化への技術が進み、多数機が製作されると推定される。そして、宇宙は現在の海洋の如く充分な準備さえ成されれば航行が可能になると推定される。本件開発はこの新ロケットの実用化後を目標に開発されているので、新ロケットの品質・性能・技術・価格が安定した後に開発されることが前提であり、各融合炉・新ロケット等の開発と並行して開発されれば効率的であり、技術の成熟度も高くなり近未来以後も予測がつき易い。推進体はこの新ロケットが採用され、充分に技術の成熟度が高まった後のことであるとしても、機械である以上故障することは無きにしもあらずである。この故障の場合、基地系や反射基地系が遊離しては危険でもある。その万一の故障時のためと、隣接する基地系との間隔を調節しうるためと、を兼て隣接する基地系は相互に連携しうるように各辺に少くとも２個の連携体が装備され、相互に連携される。また、推進体は１個が故障しても他の１個で何とか飛行が続行されるよう２個または４個が装備されてもよい。（図）この場合、基地系は略正方形を２個連設した長方形の形が適当と思われる。しかし、人類は未だ無重力の宇宙空間での製板の製作や広大な基地系の宇宙空間での飛行は未だ体験していないので、如何なる広さ（長さ・幅）の基地系が製作・飛行が可能であるかは明確なデータが無い以上推定に止る。そこで、可能な限りの安全で円滑な飛行の運営のためには種々の対策が必要だ。［発明の効果］（１）  基地板は、多数の帯状の薄金属板（遮光板）の側縁を溶接して無重力の宇宙空間で構成されるので推当に大面積のものが形成可能であると推定さ��る。（反射）基地系集団は、（反射）基地系・小・中・大の各ブロックによって構成されそれらは各々に搭載された各統括計算機によって飛行が円滑に実行される。各統括計算機は地球管制体の大型電子計算機とネットワークに構成されているので、全体の制御が極めて効率よく省力的で円滑に運営される。これにより、本件関連の基本特許である防護装置（特許第２９０６１６５号）及び別出願の開発装置（平成１６年１２月出願）に掲載された効果が達成される可能性があると推定される。（２）  補強枠は、垂直片・水平片により強度が向上するので基地板は所定の強度を備え無重力に近い宇宙空間での運行が円滑に成されると推定される。また、水平片は付属体（推進体・研摩体）の装備・抜止が可能になると推定される。その他、必要に応じて必要な付属体が追って装備可能となる。（４）  連携体は、握持機と共に連携計算機による制御で連携・分離が自動または遠隔制御され、複数の（反射）基地系は運行が円滑に実行されると推定される。また、推進体が万一故障した場合でも分離されず安全である。（５）  （反射）基地系は、１個の推進体の搭載したものは飛行が単純であり複数個装備したものは、万一１個の推進体が故障した場合でも運行が円滑に継続され、取替られるまで安全な運行が可能であると推定される。（６）  推進体は、取付台によって強固な取付が可能であり、（半）自動の取付も可能になり組立時間を短縮できる。また、（半）自動取替ロケットの装備によって万一故障した場合でも急行して取替が可能であり円滑な運行が可能になると推定される。（７）  （反射）基地系は、推進体等によって場所により応力の負荷が異るがその負荷と強度保持とを綿密に計算して複数個の補強枠の配置が最適となるよう装備されるので全体の強度が向上すると推定される。（８）  製作系の一部である加工装置は、請求項８に記載の製板機・縦枠機・横枠機を具備しているので、基地系の基礎である基地板が自動的に製作される可能性があると推定される。各機はネットワークされた制御装置により制御されるので地球管制体からの制御も可能になる。製板機の数は多数であるが基本の製板機の技術が他の製板機に活用されれば可能性はあると推定される。（９）  ２の製板機・製枠機は図９〜図１２のように配備されており、地球上で製作されたものがロケット本体の中に組込まれるので、ロケット本体が直方体状に形成され次々に配備されれば宇宙空間に於ても格段に製作系の構成が確実かつ簡単で省力化・効率化・迅速化が図られると推定される。（１０）  上記のロケット本体は隣接するものの間に空隙が設けられるので、配備手段を設ければ極めて円滑に配備される。このため打上げに使用したロケットの推進機を活用して次々に組立ることが可能になり格段に効率化・迅速化・省力化が図られる。（１１）  製作系の製作台板・製作補強台板は強固に地球上で製造されたロケット本体が介在されれば、ボルト孔等も地球上で形成可能であるから格段に製作系の組立が効率化・迅速化・省力化される。水平方向に長くなる加工装置・伸長装置・組立装置はこの製作補強台板によって格段に強固に組立てられる。宇宙空間に於ける組立の効率化・迅速化・省力化は大きな経済性を生むと推定される。��球上に於ける試作模型によって確認も必要だがその前提としてこのような構想は活用されると推定される。
【図面の簡単な説明】
【図１】１９・２０世紀の環境・資源等の深刻な課題と２１世紀の予測を示す図、
【図２】代表的な地球規模の課題の過去の経過と未来の予測を示す図、
【図３】本発明の防護開発装置の電子計算機（制御装置）のネットワークを示す図、
【図４】本発明の防護開発装置の一実施例を示す図、
【図５】本発明の防護開発装置の他の実施例を示す図、
【図６】本発明の防護開発装置の中ブロックの一実施例を示す図、
【図７】本発明の防護開発装置の大ブロックと基地系集団の一実施例を示す図、
【図８】本発明の防護開発装置の製造装置の一実施例を示す図、
【図９】同上製造装置の全体の断面図を示す図、
【図１０】同上製造装置の一部の平面図を示す図、
【図１１】同上製造装置の全体の側面図を示す図である。
【符号の説明】
【図１】
2006199261.tif 000008
【図２】
2006199261.tif 000009
【図３】
2006199261.tif 000010
【図４】
2006199261.tif 000011
【図５】
2006199261.tif 000012
【図６】
2006199261.tif 000013
【図７】
2006199261.tif 000014
【図８】
2006199261.tif 000015
【図９】
2006199261.tif 000016
【図１０】
2006199261.tif 000017
【図１１】
2006199261.tif 000018